(57)【要約】【課題】容器の不用意なスクイズによって内容物が排出されることがないが、塗布栓の押し下げ動作のみで適量滴下、塗布できる、構造の簡素化された塗布容器を提案する。【解決手段】内容物を収納する容器（１）と、この容器（１）の口部（１ａ）に保持され容器内につながる開口を有するベース（２）と、先端部に注出孔（３ａ）を有し該ベース（２）に弾性部材（Ｓ）を介して抜け止め保持される塗布栓（３）からなるものとして、前記塗布栓（３）の内側に、注出孔（３ａ）に面して配置される多孔質体（４）と、ベース（２）の開口を閉塞状態に維持するが弾性部材（Ｓ）の反発力に抗する塗布栓（３）の押圧にて該ベース（２）の開口を開放して容器（１）内の内容物を多孔質体（４）を経て注出孔（３ａ）より排出する弁体（５）とを配置する。【選択図】図１
2005335752.tif 000002
【特許請求の範囲】
【請求項１】
内容物を収納する容器と、この容器の口部に保持され容器内につながる開口を有するベースと、先端部に注出孔を有し該ベースに弾性部材を介して抜け止め保持される塗布栓からなり、
前記塗布栓の内側に、注出孔に面して配置される多孔質体と、ベースの開口を閉塞状態に維持するが弾性部材の反発力に抗する塗布栓の押圧にて該ベースの開口を開放して容器内の内容物を多孔質体を経て注出孔より排出する弁体とを配置したことを特徴とする塗布容器。
【請求項２】
前記多孔質体は、内容物の排出速度、流量の調整を可能とする焼結体、スポンジまたはフェルトからなる請求項１記載の塗布容器。
【請求項３】
前記塗布栓と容器との間に、該塗布栓の押圧を防止するストッパーを有する請求項１記載の塗布容器。
【請求項４】
前記ストッパーがＣ型断面になる弾性リング若しくは引きちぎりによって取り外しを可能とするバージンリングからなる請求項３記載の塗布容器。
【発明の詳細な説明】
【技術分野】
【０００１】
本発明は、粘度の低い液体、とくに浸透性の高い液体を必要に応じて適量注出、塗布するのに好適な塗布容器に関するものである。
【背景技術】
【０００２】
薬液や乳液等の化粧料を入れる容器は、容器の胴体部分をスクイズすることによって注出するものが普通であるが、粘度の低い液体、とくに浸透性の高い液体を内容物としてそれを少量塗布する用途に使用される、例えば、消毒液や治療薬を入れる容器では、その注出に際して内容物が必要以上に出てしまったり、あるいは胴体部分の不用意な加圧（スクイズ）によって内容物が漏れ出てしまう不利がある。
【０００３】
上記のような不具合を解消した容器としては、尾端の押釦を指先で押し込み、そのたびに少量ずつ先端の筆に液状物を供給する仕組みのものが提案されている（例えば、特許文献１参照）。
【特許文献１】実公平７−７８５７号公報
【０００４】
しかしながら、上記の従来型の容器は、眉墨や口紅等の化粧料の分野において適用されるものを前提としており、構成部材が多いうえ構造も複雑であり、比較的安価な構成が要求される薬液等を入れる容器には適さない。
【発明の開示】
【発明が解決しようとする課題】
【０００５】
本発明の課題は、内容物を使用する分だけ確実に注出して塗布することができる構造の簡素化された新規な塗布容器を提案するところにある。
【課題を解決するための手段】
【０００６】
本発明は、内容物を収納する容器と、この容器の口部に保持され容器内につながる開口を有するベースと、先端部に注出孔を有し該ベースに弾性部材を介して抜け止め保持される塗布栓からなり、
前記塗布栓の内側に、注出孔に面して配置される多孔質体と、ベースの開口を閉塞状態に維持するが弾性部材の反発力に抗する塗布栓の押圧にて該ベースの開口を開放して容器内の内容物を多孔質体を経て注出孔より排出する弁体とを配置したことを特徴とする塗布容器である。
【０００７】
上記の構成になる塗布容器において多孔質体は、内容物の滴下スピードあるいは流量の調整を可能とする焼結体、スポンジまたはフェルトからなるものを用いることができる。
【０００８】
また、前記塗布栓と容器との間には、該塗布栓の押圧を防止するストッパーを設けることができ、かかるストッパーとしては、Ｃ型断面になる弾性リング若しくは引きちぎりによって取り外しを可能とするバージンリングが有利に適合する。
【発明の効果】
【０００９】
ベースの開口は注出栓を弾性部材の反発力に抗して押圧した時にのみ開放され、この時、内容物は多孔質体を経て流れ出るため適量注出が可能になる一方、弁体が閉塞された状態にある時は容器が不用意にスクイズされても内容物が排出されることはない。        
【発明を実施するための最良の形態】
【００１０】
以下、図面を用いて本発明をより具体的に説明する。
図１は本発明にしたがう塗布容器の実施の形態を示した図である。
【００１１】
図における１は内容物を収納する容器、２は容器１の口部に螺合又はアンダーカット嵌合により保持され容器内につながる開口２ａを有するベース、３はベース２に弾性部材Ｓを介して上下に摺動可能でかつ、抜け止め保持される塗布栓であって、この塗布栓３はその先端部に注出孔３ａを有する。
【００１２】
また、４は塗布栓３の内側で注出孔３ａに面してそれを塞ぐように配置される多孔質体、５は多孔質体４の固定保持機能を兼ね備えた弁体である。この弁体５は多孔質体４につながる孔５ａを有し、弁部５ｂにてベース２の開口２ａを閉塞状態に維持するものであり、弾性部材Ｓの反発力に抗する塗布栓３の押圧にて該ベース２の開口２ａを開放して容器内の内容物を孔５ａ、多孔質体４を経て注出孔３ａより滴下、排出することができるようになっている。
【００１３】
６はキャップ、７は塗布栓３と容器１との間に配置され該塗布栓桟の押圧を防止するストッパーである。
【００１４】
図１に示した状態（流通時等）では、キャップ６、ストッパー７を取り外した状態においても弁体５の弁部５ｂがベース２の開口２ａを塞いでおり、容器１を誤ってスクイズしても内容物が排出されることはない。
【００１５】
内容物を注出、塗布するには、ストッパー７を取り外した後、図２に示すように弾性部材Ｓの反発力に抗する向きに注出栓３を押圧しその状態を維持したままで容器１そのものを図３に示す如く傾ければよい。
【００１６】
図３の状態ではベース２の開口２ａ、弁体５の孔５ａを経た内容物は多孔質体４を通過するため、該多孔質体４の存在が抵抗となり粘度の低い液体、とくに浸透性の高い液体の排出速度、流量の調整（例えば、１滴／秒）がなされて塗布栓３の注出孔３ａから滴下される。
【００１７】
多孔質体４はセラミックス等の粉体を成形して焼結したものを用いることができるが、スポンジやフェルト等も適用することが可能であり、使用目的に応じて適宜変更される。
【００１８】
また、弁体５は塗布栓３とは別体としてその一端を塗布栓３の内側で係合保持する構造としたが、該弁体５は多孔質体４の配置に支障がなければ一体ものとして構成することもでき、この点については限定されない。
【００１９】
ストッパー７については、着脱が可能なＣ型断面を有する弾性リングを用いてもよいし、塗布栓３の下端若しくはベース２下端に連結片又は薄肉部を介して一体成形され引きちぎりによって取り外しを可能とするバージンリングを用いてもよい。
【産業上の利用可能性】
【００２０】
容器のスクイズによって内容物が排出されることがないが、塗布栓の押圧にて内容物を適量滴下させることが可能な、構造の簡素化された塗布容器を提供できる。
【図面の簡単な説明】
【００２１】
【図１】本発明にしたがう塗布容器の実施の形態を示した図である。
【図２】図１に示した容器の使用状態を示した図である。
【図３】図１に示した容器の使用状態を示した図である。
【符号の説明】
【００２２】
１  容器
２  ベース
３  塗布栓
３ａ  注出孔
４  多孔質体
５  弁体
５ａ  孔
５ｂ  弁部
６  キャップ
７  ストッパー
Ｓ  弾性部材
【図１】
2005335752.tif 000003
【図２】
2005335752.tif 000004
【図３】
2005335752.tif 000005